(57)【特許請求の範囲】
【請求項１】
スプレーガン洗浄用の装置であって、
入口と、排水路と、スプレーガンのノズルを受容するためのポートと、を備えた閉鎖された容器と、
前記容器内に回転可能に取付けられ、前記入口と流体連絡するスプレー手段とを有し、前記スプレー手段は、前記ポートに向けて洗浄スプレーを噴射するための中心線から外れた洗浄ノズルと、前記スプレー手段を回転させる回転スプレーを噴射するための回転ノズルを有するようにされたスプレーガン洗浄用装置であって、
前記ポートが、前記スプレーガンを密封的に受容し、かつ、前記スプレーガンの前記ノズルを前記洗浄スプレー内に位置させることのできる密閉手段を有すると共に、
該密閉手段が、内側密閉部材と係合する外側密閉部材を有し、前記外側密閉と前記内側密閉が協働して前記ポートの円周を締付け、またＯ-リングを締付けることを特徴とする装置。
【請求項２】
前記回転スプレーが、前記容器の側壁の内表面に向けられて、前記排水路に沿う流体の流れを拡大することを特徴とする請求の範囲１に記載の装置。
【請求項３】
前記回転スプレーが、スプレー手段の回転軸から接線方向に向けられていることを特徴とする請求の範囲２に記載の装置。
【請求項４】
前記洗浄スプレーが約４５度の角度で前記スプレー手段の回転軸に向けられていることを特徴とする請求の範囲１に記載の装置。
【請求項５】
前記装置が、ベース取付台に弾性的に取付けられていることを特徴とする請求の範囲１に記載の装置。
【請求項６】
前記密閉手段が、前記スプレーガンの前記ノズルを前記スプレー手段の直上方に位置させるようにしていることを特徴とする請求の範囲１に記載の装置。
【請求項７】
前記装置が、さらに第２スプレー手段を有し、前記容器が第２ポートを有し、前記ポートと第２ポートが相互に関連して配置されて２本のノズルスプレーガンを受容し、配置することを特徴とする請求の範囲１に記載の装置。
【請求項８】
前記スプレー手段と第２スプレー手段が同一形状のものであることを特徴とする請求の範囲７に記載の装置。
【請求項９】
前記スプレー手段と前記第２スプレー手段が各々、
支持部材上に回転可能に取付けられ、前記支持部材が、前記流体の連絡を行うための前記入口と接続している内部通路を有している羽根車と、
前記羽根車から延びる１対の対角線的に対向するアームと、を有し、前記アームの各々が前記羽根車と流体連絡し、前記アームが前記回転ノズルを有し、前記洗浄ノズルがその上に取付けられていることを特徴とする請求の範囲８に記載の装置。
【請求項１０】
前記スプレー手段と前記第２スプレー手段が共通の支持部材上に取付けられていることを特徴とする請求の範囲９に記載の装置。
【請求項１１】
前記共通の支持部材が、前記流体の連絡を行う共通の内部通路を有することを特徴とする請求の範囲１０に記載の装置。
【請求項１２】
前記共通の支持部材が２本の専用の内部通路を有し、その各々がそれぞれ対応する前記スプレー手段、第２スプレー手段と連絡していることを特徴とする請求の範囲１０に記載の装置。
【請求項１３】
前記スプレー手段が、
支持部材上に回転可能に取付けられた羽根車を有し、前記支持部材が、前記流体の連絡を行うための前記入口と接続した内部通路を有し、
前記羽根車から延びる一対の対角線的に対向するアームを有し、前記アームの各々が前記羽根車と流体連絡し、前記アームが前記回転ノズルとその上に取付けられた前記洗浄ノズルと、を有することを特徴とする請求の範囲１に記載の装置。
【請求項１４】
前記回転ノズルが、力を生じるために前記羽根車の回転軸から接線方向に向けられていることを特徴とする請求の範囲１３に記載の装置。
【請求項１５】
前記洗浄ノズルが約４５度の角度で前記回転軸に向けられていることを特徴とする請求の範囲１４に記載の装置。
【請求項１６】
前記アームが前記４５度の角度で取付けられ、前記洗浄ノズルが前記アームに対して垂直に取付けられていることを特徴とする請求の範囲１５に記載の装置。
【請求項１７】
前記アームの各々が回転ノズルと洗浄ノズルを有することを特徴とする請求の範囲１３に記載の装置。
【請求項１８】
前記アームの一方が前記回転ノズルを有し、前記アームのもう一方が前記洗浄ノズルを有することを特徴とする請求の範囲１３に記載の装置。
【請求項１９】
前記スプレー手段が、
支持部材上に回転可能に取付けられた羽根車を有し、前記支持部材が２つの内部通路を有し、前記内部通路の一方が前記流体連絡を行うための前記入口と接続し、前記内部通路のもう一方が、前記羽根車および第２流体との第２流体連絡を行うための第２入口と接続していることを特徴とする請求の範囲１３に記載の装置。
【請求項２０】
スプレーガンのノズルを洗浄する方法であって、
スプレーガンのノズルを、内側密閉部材と係合する外側密閉部材を有し、前記外側密閉と前記内側密閉が協働して前記ポートの円周を締付け、またＯ-リングを締付ける密閉手段による密閉関係において容器のポートに配置する工程と、
洗浄ノズルと回転ノズルを有する回転可能に取付けられた羽根車を通して第１流体の流体の流れを開始する工程と、を有し、前記洗浄ノズルを通る前記流体の流れが前記スプレーガンのノズルに向けられたオフセット洗浄スプレーを生じ、前記回転ノズルを通る前記流体の流れが前記羽根車の回転を生じさせて前記容器の内周壁面を濡らし、
さらに、前記容器から前記流体を収集する工程とを有する、ことを特徴とする方法。
【請求項２１】
前記方法がさらに、
前記羽根車を洗浄するために、第２流体との前記流体の流れを開始する工程を有することを特徴とする請求の範囲２０に記載の方法。
【請求項２２】
前記第１流体が洗浄溶液であり、前記に流体が空気であることを特徴とする請求の範囲２１に記載の方法。
【請求項２３】
前記洗浄スプレーが約４５度の角度で前記羽根車の回転軸に向けられていることを特徴とする請求の範囲２０に記載の方法。
【請求項２４】
前記回転スプレーが前記羽根車の回転軸から接線方向に向けられていることを特徴とする請求の範囲２０に記載の方法。
【発明の詳細な説明】
産業上の利用分野
本発明は塗装スプレーガンを洗浄するための方法および装置に関する。本発明は特に、操作が容易であり、洗浄装置内に洗浄すべき塗装スプレーガンを容易に配置することのできる新規のカバー部材を備えた、塗装スプレーガン洗浄用の装置に関する。
発明の背景
塗装スプレーガンは、物体に塗料を散布するために様々な産業において利用されている。自動車産業においては、自動車の部品に様々な色の複数の塗膜をスプレーするために、特有の塗装スプレーガンが使用されている。スプレーガンのノズル端部で硬化あるいは乾燥した塗料を除去するために、塗装スプレーガンを定期的に洗浄しなければならない。また、新しい色の塗料を使用する前には、塗装スプレーガンを洗浄して古い塗料の残りを除去する必要がある。
塗装スプレーガンを洗浄するには、洗浄装置内の塗装スプレーガンに溶媒を高速で噴射する。スプレーガンのノズル端部から乾燥した塗料を除去するためには高速度の噴射が必要である。また、洗浄は、使用した溶媒の漏出を防止するために独立した容器内で行われる。
米国特許明細書4,830,882には洗浄タンクと、塗装スプレーガンを挿入するための穴を持つ２つの可撓性カバー部材とを備えた、塗装スプレーガンを洗浄する方法および装置が開示されている。洗浄タンク内には、洗浄すべき塗装スプレーガンに洗浄溶液を噴射するための複数の洗浄ノズルが取付けられている。しかし、そこに示される洗浄タンク内での洗浄ノズルの配列は、塗装スプレーガンの完全な洗浄を必ずしも提供しない。その理由は、完全な洗浄は、洗浄タンク内での洗浄ノズルの位置と、塗装スプレーガンに向けて洗浄溶液を噴射する角度に依存するためである。また、塗装スプレーガンに洗浄溶液に効果的に噴射するように洗浄ノズルを適切に配列しようとする要求は、装置全体をいたずらに複雑とし、製造及び補修を困難化する。
発明の概要
本発明によれば、従来技術の欠点は、洗浄用のスプレーを噴射するための回転するスプレーノズルと、回転を生じさせ、かつ、容器の内周壁面を濡らすためのにスプレーを噴射するための回転用ノズルとを備えた、スプレーガンを洗浄するための装置を提供することにより克服できる。
本発明はまた、洗浄容器内に塗装スプレーガンを配置する工程と、複数の洗浄ノズルを回転させて、複数のノズルを介して塗装スプレーガンに洗浄流体をスプレーする工程と、乾燥のためにスプレーノズルを介して塗装スプレーガンに空気を供給する工程とを備えた、洗浄容器内で塗装スプレーガンを洗浄する方法を提供する。
本発明の別の態様では、スプレーガンのノズルを洗浄する方法が提供される。この工程には、容器内のポートへ密封状態でスプレーガンのノズルを配置することが含まれる。また、洗浄ノズルと回転ノズルを備えた回転可能に取付けられた羽根車を通して第１流体を流すことも含まれる。洗浄ノズルを通る流体の流れが、スプレーガンに向けられたオフセットした洗浄スプレーを生じさせ、回転ノズルを通る流体の流れが羽根車の回転を生じさせ、また、容器の内周壁面を濡らす。またさらに、容器からの流体の回収が含まれる。また、羽根車から第１流体をパージのための、第２流体の流れを開始することも含まれる。
本発明の別の態様では、入口、排水路、スプレーガンのノズルを受容するためのポートを備えた閉鎖された容器を持つ、スプレーガンを洗浄するための装置が得られる。スプレー羽根車は、容器内に回転可能に取付けられ、入口と流体連絡をする。スプレー羽根車は、スプレーガンに向けて洗浄スプレーを噴射するためのオフセットした洗浄ノズルと、スプレー羽根車の回転を生じさせるための回転スプレーを噴射する回転ノズルを備えている。ポートは、スプレーガンを密封的に受容したスプレーガンのノズルを洗浄スプレーに対向して配置するための密閉部を備えている。
本発明の別の態様では、塗装スプレーガンの操作と装置内への配置を容易にするためのカバー部材が提供される。
本発明の方法および装置は多くの利点を有している。第１に、洗浄容器の内部が、洗浄ノズルおよび回転ノズルから放出される洗浄流体によって連続的に洗浄される。第２に、塗装スプレーガンから除去された塗料と洗浄に必要な溶液が周囲に逃げてしまうことがない。第３に、３６０度にわたる被覆と、回転羽根車の設計により得られる直接衝撃角度が塗装スプレーガンからの塗装の除去をさらに効果的にする。第４に、本装置は修理が容易で、従来の塗装スプレーガン洗浄装置と比べて比較的維持が簡単である。
【図面の簡単な説明】
次に、本発明の方法および装置を添付の図面を参照しながら説明する。
図１は、本発明によるスプレーガン洗浄装置の第１実施例の正面図である。
図２は、図１の実施例の側面図である。
図３は、図１の実施例の洗浄容器に弾性支持部材を示す拡大側断面図である。
図４は、図１の実施例の洗浄容器を線６−６に沿って切った部分側断面図である。
図５は、図４の実施例の部分断面平面図である。
図６は、図１の実施例のノズル構造の組立分解部分断面図である。
図７は、図１の実施例のスプレーガンを受容するために密封部分を示す断面図である。
図８は、本発明によるスプレーガン洗浄装置の、一体型の羽根車組立ての別の実施例を示す断面図である。
図９は、図８の一体型羽根車の９０度回転させた断面図である。
図１０は、本発明の羽根車およびノズル組立ての別の実施例を示す部分側面図である。
図１１は、本発明の羽根車およびノズル組立ての別の実施例を示す部分側面図である。
図１２は、本発明の塗装スプレーガンを洗浄するための装置の第２実施例を示す部分側断面図である。
図１３は、図１２の羽根車の側断面図である。
図１４は、図１３の羽根車の９０度回転させた側断面図である。
図１５は、本発明による塗装スプレーガン洗浄用装置の第３実施例を示す部分側断面図である。
図１６は、本発明による羽根車の別の実施例を示す部分側断面図である。
図１７は、本発明による羽根車の別の実施例を示す部分側断面図である。
図１８は、本発明による塗装スプレーガン洗浄装置の一体形羽根車組立ての別の実施例を示す部分側面図である。
図１９は、図１８の羽根車の９０度回転させた側断面図である。
発明の詳細な説明
図１及び図２は、スプレーガンから塗料を洗浄するための洗浄装置１０を示している。該装置１０は、ベース１２、中空の密閉容器１４、スプレーガン１８（仮想線で示す）を受容するためのスプレーガン取付台１６を備える。
図３に示すように、前記容器１４はばね取付台２０を介して前記ベース１２に取付けられている。各ばね取付台２０は、前記容器１４のベース上のボス２３と摺動係合するピン２１を設けている。
図４、図５は、前記容器１４の内部を示している。容器１４は全体として中空の容器であり、その底部に排水路２２、入口フィテイング２４、及び、環状開口部を持つ上端環状板２６を備えている。前記環状開口部は、カバー組立部材２８によって閉鎖される。該カバー組立部材２８はポート２９を備え、そこに、スプレーガン１８のノズル３０が密封係合状態で受容される。
前記入口フィテイング２４からはパイプまたは管３２が延出しており、該管３２は前記容器１４の中央縦軸と実質的に共通の縦軸を有するエルボフィテイング３４と接続している。そこから上方には、前記入口フィテイング２４と流体連絡する羽根車３６が設けられる。前記入口フィテイング２４、管３２及びエルボフィテイング３４は、前記羽根車３６を堅固に支持するのに十分な構造的一体性を備えている。羽根車３６から対角線方向外方にはアーム３８、４０が延出しており、該アーム３８、４０の末端部には内側に向いた姿勢で洗浄ノズル４２、４４が、好ましくは前記回転軸に向かって４５度の角度で取り付けられている。図５に示すように、水平方向に延びる回転ノズル４６、４８が、前記アーム３８、４０の末端部に各々取付けられており、該回転ノズル４６、４８は前記羽根車３６の回転方向に対して接線方向に延出している。
図６は、前記羽根車３６をさらに詳細に示している。羽根車３６は管状スリーブ５０を有し、該管状スリーブ５０には対角線方向にネジ穴が穿設され、そこに、前記アーム３８、４０をネジ係合している。ブッシュ５２、５４はほぼ円筒形であり、その一端にはフランジを備えている。各ブッシュ５２、５４は前記スリーブ５０の両端から挿入され得る寸法とされている。各ブッシュ５２、５４はピン５６、５８によりスリーブ５０内に保持される。各ブッシュ５２、５４は柔軟性を持つ軸受け用材料から成ることが好ましい。この材料は、使用する溶液（溶媒）の毒性に耐え、かつ羽根車３６を回転させ得るものでなければならない。
ベースフィテイング６０は外ネジ６２を備え、前記エルボフィテイング３４とネジ係合している。また、該ベースフィテイング６０は内面ネジを持つ中央孔を備える。
ボルト６４はそのステムの中央に中央毛管開口６６を備える。該ボルト６４の端部６８にはネジが切られており、該ネジ部がベースフィテイング60とネジ係合する。また、前記毛管開口６６の上端部には複数の直交的に対向する孔７０、７２が形成されている。
組立ての際、前記ボルト６４はスリーブ５０を通して挿入され、前記ベースフィテイング６０にネジ係合する。ボルト６４の締め付けは、羽根車３６を通る流体の連通を許容し、かつ、羽根車３６の回転も許容する程度とされる。
洗浄装置１０が組立てられ密閉されると、流体は、上方流体入口システム内において連通した状態となり、入口フィテイング２４から、管３２を通り、エルボ３４により上方へ進み、羽根車３６を通り、アーム３８、４０において反対方向の外方向に向かい、回転ノズル４６、４８を通って対角線的にまた対向する姿勢となり、最後に、洗浄ノズル４２、４４を通って４５度の角度で上方向に向かう。
図７は、前記カバー組立部材２８をより詳細に示している。前記上端環状板２６は、容器１４の上端部周辺に延びるアングル状のリングである。カバー板７４が、前記上端環状板２６によって形成される上部開口部を部分的に閉鎖する。スプレーガン受容ポート２９が前記カバー板７４の環状開口部内に設けられえる。該ポート２９の円周内には、外側リング７６、内側リング７８、Ｏ−リング８０によりなる密封部が備えられる。前記外側リング７６はステップ８２と合わさる先細りの中央孔を持つ。また、外側リング７６の下端外周はネジ８４を備えている。内側リング７８はカラー部８６を備え、該カラー部８６の内周面には前記ネジ８４とネジ係合する内面ネジ８８が形成されている。内側リング７８内方向に延出するフランジ９０を備えており、該フランジ９０は前記Ｏ−リング８０を受容するための環状リッジを画定する。外側リング７６は円周方向にチャネル８１を有している。チャネル８１の厚みは前記カバー板７４の厚みとほぼ同じであり、直径はカバー板７４の中央孔の直径よりも小さい。外側リング７６と内側リング７８は協働して、カバー板７４を締付け、Ｏ−リング８０を締付ける。
組み立てるには、外側リング７６をカバー板７４の中央孔に挿入する、Ｏ−リング８０を、前記ステップ８２によって画定される内部環状チャネルに挿入する。内側リング７８を外側リング７６に位置合わせし、ポート内でカバー板７４にしっかりと固定するまで内側リング７８をネジ係合する。次に、カバー板７４をボルト９２によってトップ板２６に固定する。
Ｏ−リング８０は登録商標VITONとして市販されている材料、またはTEFLONケーシング内に入れられたゴムから成ることが好ましい。またさらに、Ｏ−リング８０はTEFLONケーシング内に入れられたVITON材料、または本発明の明細書で説明する環境に合致するその他の材料から成ることができる。
スプレーガンとそのノズルを洗浄するために、洗浄流体または溶媒は使用した塗装と相補性のものでなければならない。溶媒にはアセトン、メチルエチルケトン、アルコール、その他の市販の溶媒を使用することができる。毒性または腐食性の溶媒を使用する場合もあるので、洗浄装置１０の各構成要素はステンレス鋼から成ることが好ましい。
使用において、スプレーガン１８のノズル３０は密封状態におかれる。チャネル８１の直径がカバー部材７４の開口部の直径よりも小さいために、該密封部は水平面内で摺動可能であり、ノズル３０と適切な整列位置を取ることができる。スプレーガン１８と密封部２９の間から溶媒が漏出するのを防くために、スプレーガン１８は密封部２９に対して強く押圧される。
流体の状態および圧力下にある溶媒が、入口フィテイング２４を介して容器１４内に注入される。溶媒はパイプ３２を介してエルボ３４へと流れ、次いで羽根車３６へと上昇し、アーム３８、４０を介して外方向へと流れる。次に流体は回転ノズル４６、４８を通って噴出する。それにより、対向する方向における接線方向のスプレーを生じ、羽根車３６をその回転軸を中心として回転させると共に、回転ノズル４６、４８からのスプレーは、容器１４の内周壁面に洗浄流体を噴射する。流体はまた洗浄ノズル４２、４４に向けて上昇し、洗浄ノズル４２、４４からスプレーガン１８のノズル３０に対して洗浄スプレーを噴射する。羽根車３６が回転し、洗浄ノズル４２、４４は羽根車の回転軸から偏位（オフセット）しているために、洗浄ノズル４２、４４からの洗浄スプレーは回転しながら、ノズル３０の周囲に流体を供給する。
ノズル４６、４８からのスプレーを容器１４の内周壁面上に噴射するようにすることにより、塗料と溶媒との混合液が該壁面上で乾燥または硬化することを防止できる。塗料と溶媒の混合液は容器１４の内周壁面に沿って流下し、排水フィテイング２２を通って環境処理またはリサイクル処理に回される。
上記の洗浄装置１０で塗装スプレーガン１８を洗浄する場合には、洗浄容器１４内の羽根車３６の上方に塗装スプレーガン１８のノズル３０が突出するようにして、塗装スプレーガン１８をポート２９に位置させる。ノズル３０がポート２９との間で密封係合状態に置かれることにより、容器１４は実質的に密閉された状態となる。入口フィテイング２４からの実質的に全ての流体は、溶解した塗料と共に排水フィテイング２２を介して排出される。回転ノズル４６、４８に加圧された洗浄流体を供給し、そこから回転スプレーを噴射することで、洗浄ノズル４２、４４は回転する。さらに、加圧された洗浄流体は洗浄ノズル４２、４４に供給され、取り付けられた塗装スプレーガン１８のノズル３０に向けて洗浄スプレーを噴射する。次に、ノズル４２、４４、４６及び４８から洗浄流体がパージされる。空気が洗浄ノズル４２、４４、４６及び４８を介して塗装スプレーガンに供給され、塗装スプレーガンを乾燥させる。
図８、図９は、本発明の羽根車の他の実施例を示している。図８において、羽根車９４はブッシュ５２、５４を必要としない一体型のユニットである。
同様に、図１８、図１９において、羽根車９６もまた一体型ユニットである。ノズルを接続するために内部流体通路は、羽根車９６の縦軸に対して４５度の角度で、上方および下方に向かって傾斜している。
図１０は、ノズル配列の他の実施例を示している。この実施例においては、管１３２は閉鎖された端部と内部通路を有している。ベースフィテイング１６０は、管１３２を介して入口フィテイング１２４と流体連絡している。アーム１３８は回転軸に対して４５度の角度で傾斜している。アーム１４０は水平方向に延び、アーム１３８と対角線的に対向する。アーム１３８は２本の洗浄ノズル１４１、１４２を備えている。
アーム１４０は、回転力と容器洗浄スプレーを供給するために回転ノズル１４８を備えている。ノズル１４４は、洗浄スプレーを供給するために、回転軸に対して４５度の角度で方向付けられている。
図１１はさらに他の実施例を示す。この実施例において、アーム２３８と２４０が対角線的に対向し、水平方向に延びている。回転ノズル２４６、２４８は、羽根車２３６の回転力と、容器１４の内周壁面への洗浄スプレーを供給するために、羽根車２３６と流体連絡状態にある。アーム２３８、２４０は、洗浄スプレーを供給するために４５度の角度で傾斜した洗浄ノズル２４２と２４４とを各々接続するＴ字型継手を有する。
図１２に示す洗浄装置３００は、入口フィテイング３３４とネジ係合するベースフィテイング３６０を備えた羽根車３３６を設けている。入口フィテイング３３４は洗浄容器１４を横切って延出し、入口３３５、３３７を形成している。入口３３５は、ベースフィテイング３６０をネジ係合するキャビティ３４１に連絡する内部通路３３９と連絡している。入口３３７は内部通路３４３と連絡している。
図１３、図１４は、前記羽根車３３６をさらに詳細に示している。羽根車３３６は、孔３５１、３５３を備えた環状スリーブ３５０を持つ。該孔３５１、３５３は対角線的に対向しており、そこに、アーム３３８、３４０を受容する。ブッシュ３５２はスリーブ３５０に形成した縦方向の中空孔の一端内に挿入される。ブッシュ３５２はロールピン３５５によりスリーブ３５０内に保持される。同様に、スリーブ３５０の対向する端部にはブッシュ３５４が挿入される。スリーブ３５０は開孔３５７、３５９を有し、そこにロールピンを挿入することにより、ブッシュ３５４をスリーブ３５０内に保持している。六角ボルト３６４はボルト６４と同様に縦通路３６９を設けている。さらに、六角ボルト３６４は通路３６９内に延出する内部スリーブ３６１を備え、該内部スリーブ３６１は、通路３６９を内部通路３１０と環状外部通路３１２とに画定する。スリーブ３６１の端部は内部通路３４３の垂直部分内に取付けられる。スリーブ３６１は内部通路の端部に開口部３６３を持つ。該開口部３６３は、内部通路３４３とその垂直部分において流体連絡している。外部環状通路３１２は内部通路３３９と流体連絡している。外部環状通路の上端部はアーム３６６、３６７と流体連絡している。
作動において、第１の流体は入口３３７から供給され、供給された流体は、開口３６３と内部通路３１０を通ってアーム３３８と３４０とに流入する。流体は、また、入口３３５を通って導入され、外部環状通路３１２を通ってアーム３６６、３６７に流入する。流体は開口３１４からスプレーされ、羽根車３３６を回転させる。流体は異なるタイプの溶媒であってもよく、また、空気と溶媒の組み合わせであってもよい。
図１５は、デュアルノズルタイプのスプレーガン４１８用の洗浄装置４００を示す。この実施例において、容器４１４は、ノズル４３０と４３１を密閉係合状態で受容する２つの密閉可能な開口部を備えたカバー部材４２８を持つ。入口フィテイング４２４は、内部通路４３９と連絡する入口４３５を有する。一対の近似した形状の羽根車４３６、４３５が、入口４３５と流体連絡する状態で、入口フィテイング４２４に沿って設けられている。羽根車４３６、４３８の各々は、ノズル４３０と４３１の直下に各々配置されている。羽根車４３６、４３８の各々が回転すると、洗浄ノズル４４４、４４２からのスプレーが、スプレー塗装ガンノズル４３１、４３０を各々洗浄する。回転ノズル４４６、４４８は、羽根車４３８、４３６に各々回転力を供給する。回転ノズル４４６、４４８は、容器１４の内周壁面に洗浄流体を供給する。これにより、内周壁面上への塗装の蓄積を防止することができ、排水路４２２への溶媒・塗装混合液にの流れを拡大する。
図１６は本発明による羽根車５００の別の実施例を示す。羽根車５３６は環状スリーブ５５０を有し、該環状スリーブ５５０は入口フィテイング５２４と流体連絡する管５３２をネジ係合する孔を備えている。ブッシュ５５２、５５４は、一端にフランジを備えた円筒形であり、スリーブ５５０の各端部に挿入され得るサイズとなっている。
ボルト５６４は、そのステムの中央に中央毛管開口部５１０を有している。ボルト５６４の端部５６８は、羽根車５３６のネジ穴と係合するネジを備えている。毛管開口部５１０の下端部には直交的に対向する一対の開口５７０、５７２が形成されており、該開口を介して、管５３２と流体連絡する外部環状通路５１２と連絡している。羽根車５３６は、洗浄ノズル５４２と５４４に加えて、回転ノズル５４６と５４８を取り付けるためのアーム５３８、５４０を受容する。羽根車５３６は外部スリーブ５５０内で回転する。
図１７は羽根車のさらに別の実施例を示している。羽根車６００は、対角線的に対向しかつ回転軸に対して４５度の角度で傾斜する孔６５１、６５３を形成した環状スリーブ６５０を備えている。孔６５１、６５３は洗浄ノズル６４２、６４４を受容する。スリーブ６５０は、回転ノズル６６６、６６７用の孔６５７、６５９を備えている。六角ボルト６６４はボルト６４と同様に縦方向に延びる通路６６９を備えている。さらに、六角ボルト６６４は、通路６６９内に延びて内部通路６１０と環状外部通路６１２を画定する内部スリーブ６６１を備えている。内部環状通路は６１０洗浄ノズル６４２、６４４と流体連絡する。外部環状通路６１２は回転ノズル６６６、６６７と流体連絡する。
この羽根車６００は前記した羽根車３３６と同様の方法で利用される。
本発明の範囲を逸脱しない限り、多くの改良が可能であることが当業者には既に明白であろう。特に、羽根車の質量が回転バランスを保持することを条件に、異なる形状のアームとノズルを用いることが可能である。
【図１】
0003920923.tif 000002
【図２】
0003920923.tif 000003
【図３】
0003920923.tif 000004
【図４】
0003920923.tif 000005
【図５】
0003920923.tif 000006
【図６】
0003920923.tif 000007
【図７】
0003920923.tif 000008
【図８】
0003920923.tif 000009
【図９】
0003920923.tif 000010
【図１０】
0003920923.tif 000011
【図１１】
0003920923.tif 000012
【図１２】
0003920923.tif 000013
【図１３】
0003920923.tif 000014
【図１４】
0003920923.tif 000015
【図１５】
0003920923.tif 000016
【図１６】
0003920923.tif 000017
【図１７】
0003920923.tif 000018
【図１８】
0003920923.tif 000019
【図１９】
0003920923.tif 000020